(57)【要約】【課題】  人体生化学試験システム及びその試験器の提供。【解決手段】  試験器に検体を具えた試片を挿入し、検体を通過する電圧値を測定後に、変換回路及びマイクロプロセッサで識別可能な信号に変換し、さらに信号を伝送インタフェースを介して遠方のシステム管理センターに送り、検出信号の代表する意義を暗号解除、識別と対比し、並びにデータを保存し、さらに演算結果を試験器に送り外接のディスプレイに試験器の試験結果を表示する。また上述のシステム管理センターでデータのファイル構築、保存、統計及び計算を行ない、使用者が随時ある期間或いはある回の検査報告を閲覧できるようにし、システム業者も通信時間或いは試験回数にかかる費用計算と料金回収が行なえるようにする。【選択図】        図１
2005122551.tif 000002
【特許請求の範囲】
【請求項１】
人体生化学試験システムにおいて、試験器に検体を具えた試片を挿入し、検体を通過する電圧値を測定後に、変換回路及びマイクロプロセッサで識別可能な信号に変換し、さらに信号を伝送インタフェースを介して遠方のシステム管理センターに送り、検出信号の代表する意義を暗号解除、識別と対比し、並びにデータを保存し、さらに演算結果を試験器に送り外接のディスプレイに試験器の試験結果を表示し、また上述のシステム管理センターでデータのファイル構築、保存、統計及び計算を行ない、使用者が随時ある期間或いはある回の検査報告を閲覧できるようにし、システム業者も通信時間或いは試験回数にかかる費用計算と料金回収が行なえるようにすることを特徴とする、人体生化学試験システム。
【請求項２】
人体生化学試験システムの試験器において、ケース内に試験基板と信号接続ポートが設けられ、ケース内に試験基板が設けられ、該試験基板が、検出回路、変換回路、マイクロプロセッサ、伝送インタフェースを具え、
該検出回路は試片挿入口に対応する内部に設置されて挿入される試片と接続され、
該変換回路は検出回路より伝送された電圧信号を変換してマイクロプロセッサが解読できる信号となし、
該マイクロプロセッサは、変換回路、伝送インタフェースと接続され、変換回路より送られた信号を受け取り伝送インタフェースを介して信号を入出力し、
該伝送インタフェースは、信号接続ポートと接続され、この装置を通信設備と接続可能とすることを特徴とする、人体生化学試験システムの試験器。
【請求項３】
請求項２記載の人体生化学試験システムの試験器において、ケースの別端内に針機構が取り付けられ、該針機構が使用者の手指を突き刺すのに供され、携帯と使用に便利な試験器とされたことを特徴とする、人体生化学試験システムの試験器。
【請求項４】
請求項２記載の人体生化学試験システムの試験器において、ケースにディスプレイが取り付けられ、試験器の検出結果を表示することを特徴とする、人体生化学試験システムの試験器。
【請求項５】
請求項３又は請求項４記載の人体生化学試験システムの試験器において、針機構がシートパイプ、抗圧バネ、結合手段、内スライドロッド、針座ロッド及びスライドスリーブで組成され、
該シートパイプは、ケース内に固定され、その中心にガイドロッドとガイロッドの外側に設けられた抗圧バネを具え、並びに該シートパイプの外壁面に二つの相互に対称な長孔がガイドロッドと平行に設けられ、また、該シートパイプの前方開口縁に環状に一辺が傾斜し一辺が垂直な鋸歯が設けられ、
該結合手段は、その中央に穿孔があり、シートパイプのガイドロッドが該穿孔を貫通し、該結合手段がシートパイプに対してスライド自在とされ、且つその一端に抗圧バネが係止され、もう一端が内スライドロッドに係止され、
該内スライドロッドは、その中央に溝が設けられてシートパイプのガイドロッドが挿入され、該内スライドロッドがガイドロッドに対してスライド自在とされ、並びにその前後両端にそれぞれコネクタが設けられてそれぞれ針座ロッド、結合手段と接合され、且つその外壁面に、両端が斜面とされた凸塊が設けられ、
該針座ロッドは、内スライドロッド前端のコネクタに嵌合され、使い捨て針を装着するのに供され、
該スライドスリーブは、以上の各部品の外部に嵌合され、その内部中間に内リングが置かれ、並びに内リングの後方の内壁面に二段式ガイドブロックが環状に設けられ、別にスライドスリーブ後端内壁面に二つの対応するフック部が設けられてシートパイプの長孔にスライド自在に係止されることを特徴とする、人体生化学試験システムの試験器。
【請求項６】
請求項５記載の人体生化学試験システムの試験器において、針機構が組み合わされる時、スライドスリーブ後端に別に弾性体が装着され、それとケースの収容室底部の間に当接し、これによりスライドスリーブが最前端の推力を維持することを特徴とする、人体生化学試験システムの試験器。
【請求項７】
請求項６記載の人体生化学試験システムの試験器において、針機構がケースに取り付けられた後にケース後蓋に閉じられ、別に可動式のキャップが設けられ、スライドスリーブとキャップの接続される接触面は傾斜面とされ、また、キャップの外壁面に軸線と平行な複数の凹溝が設けられ、ケース後蓋内孔に凸粒が設けられ、組合せ時には、該キャップの凹溝がケース後蓋の凸粒と係合し、キャップとケース後蓋の相対角度が回転させられることにより、その凸粒がキャップのもう一つの凹溝内に嵌まり、これによりスライドスリーブとキャップの接続された接触面の位置がずれて強制的にスライドスリーブが後退させられ、こうして使い捨て針のキャップからの伸出長さを微調整する機能が達成されることを特徴とする、人体生化学試験システムの試験器。
【発明の詳細な説明】
【技術分野】
【０００１】
本発明は一種の人体生化学試験システム及びその試験器に係り、特に、使用者が随時人体生化学試験（血糖、尿酸或いはコレステロール等の試験）、データ保存、データ閲覧及び費用の計算が行なえる管理システム、及び使用者が身につけて携帯使用できる試験器の構造に関する。
【背景技術】
【０００２】
周知の個人使用のための生化学（血糖、尿酸或いはコレステロール等）試験器は、いずれも検体検出回路、信号変換回路、マイクロプロセッサ及びディスプレイ等を具え、且つそのうちマイクロプロセッサには比較器（検体信号認識のデータベース）及びメモリ等が設けられて完全な試験機能を具備している。このマイクロプロセッサの機能は比較的高く、且つディスプレイ等を設置する必要があるため、周知の血糖（或いは尿酸）試験器のコストは比較的高く、且つその保存と実行機能は有限であり、最良の実用機能を達成できなかった。そうでなければ、大病院或いは病理試験センターで測定しなければならず、時間と金銭上の浪費を導き、病因或いは試験センターへ行かねばならないのは経済的でなく、このため周知の試験構造及び試験方式には改善の必要がある。
【発明の開示】
【発明が解決しようとする課題】
【０００３】
本発明は上述の周知の個人使用のための生化学試験器或いは病院での試験方法の、実際の使用と試験上の不便と欠点を鑑み、これを改善すべく一種の人体生化学試験システム及びその試験器を提供するものである。
【０００４】
即ち、本発明の主要な目的は一種の人体生化学試験システム及びその試験器を提供することにあり、それは、経済的で簡単な個人化試験器であり、さらに電子化通信設備でシステム管理センターと接続されて、電流通過の抵抗と電圧値変化により各種の生化学試験を認識し、且つ全ての試験データのファイルを構築し保存し、使用者が随時通信設備を介してデータを閲覧、印刷でき、システム管理センターが使用者の試験回数或いは通信時間により使用者に対して料金徴収を行ない、並びに更に多くの情報サービスを提供するものとする。
【０００５】
本発明によると、試験器に検体を具えた試片を挿入し、検体を通過する電圧値を測定後に、変換回路及びマイクロプロセッサで識別可能な信号に変換し、さらに信号を伝送インタフェースを介して遠端システム管理センターに送り、検出信号の代表する意義を暗号解除、識別と対比し、並びにデータを保存し、さらに演算結果を試験器に送り外接のディスプレイに試験器の試験結果を表示する。また上述のシステム管理センターでデータのファイル構築、保存、統計及び計算を行ない、使用者が随時ある期間或いはある回の検査報告を閲覧できるようにし、システム業者も通信時間或いは試験回数にかかる費用計算と料金回収が行なえ、世界各地で利用できるものとする。さらに、使用者が試験器を携帯でき簡易化された構造で製造コストが低く、使用者の負担を減らすものとする。
【０００６】
上述の試験器の構造は、ケース内に試験基板、及びケースに試片挿入口が設けられ、検体試片が試片挿入口より挿入された後、測定されたデータが一端の信号（ＵＳＢ或いはシリアル）接続ポートより伝送されるか、或いはディスプレイにその結果が表示され、並びにケースの別端内に針機構が設けられてケース後蓋が閉じ合わされて固定され、該針機構がシートパイプ、抗圧バネ、結合手段、内スライドロッド、針座ロッド及びスライドスリーブで組成されている。その組合せ後、該試験器を握持する手の指で針機構のスライドスリーブを一度押圧すれば、ロック解除と打針の動作が達成され、手指を指して検体採取の機能が達成される。
【０００７】
また、そのうちの試験基板は、検出回路、変換回路、マイクロプロセッサ、伝送（ＵＳＢ或いはシリアル）インタフェースを具えている。該検出回路は試片挿入口に対応する内部に設置されて挿入される試片と接続される。変換回路は検出回路より伝送された電圧信号を変換してマイクロプロセッサが解読できる信号となす。マイクロプロセッサは、変換回路、伝送（ＵＳＢ或いはシリアル）インタフェースと接続され、変換回路より送られた信号を受け取り伝送インタフェースを介して信号を入出力する。伝送（ＵＳＢ或いはシリアル）インタフェースは、信号接続ポートと接続され、この装置を通信設備（パーソナルコンピュータ、ノートブック型コンピュータ、ＰＤＡ、携帯電話等）と接続可能とする。
【０００８】
上述の構造を使用するとき、使用者が直接その一端の針機構で手指を突き刺して血液（検体）を採取し、さらに血液の付着した試片を試験器のケースの情報の試片挿入口より挿入すれば、内部の検出回路がその検出結果を計算し、信号を伝送或いは表示する。
【課題を解決するための手段】
【０００９】
請求項１の発明は、人体生化学試験システムにおいて、試験器に検体を具えた試片を挿入し、検体を通過する電圧値を測定後に、変換回路及びマイクロプロセッサで識別可能な信号に変換し、さらに信号を伝送インタフェースを介して遠方のシステム管理センターに送り、検出信号の代表する意義を暗号解除、識別と対比し、並びにデータを保存し、さらに演算結果を試験器に送り外接のディスプレイに試験器の試験結果を表示し、また上述のシステム管理センターでデータのファイル構築、保存、統計及び計算を行ない、使用者が随時ある期間或いはある回の検査報告を閲覧できるようにし、システム業者も通信時間或いは試験回数にかかる費用計算と料金回収が行なえるようにすることを特徴とする、人体生化学試験システムとしている。
請求項２の発明は、人体生化学試験システムの試験器において、ケース内に試験基板と信号接続ポートが設けられ、ケース内に試験基板が設けられ、該試験基板が、検出回路、変換回路、マイクロプロセッサ、伝送インタフェースを具え、
該検出回路は試片挿入口に対応する内部に設置されて挿入される試片と接続され、
該変換回路は検出回路より伝送された電圧信号を変換してマイクロプロセッサが解読できる信号となし、
該マイクロプロセッサは、変換回路、伝送インタフェースと接続され、変換回路より送られた信号を受け取り伝送インタフェースを介して信号を入出力し、
該伝送インタフェースは、信号接続ポートと接続され、この装置を通信設備と接続可能とすることを特徴とする、人体生化学試験システムの試験器としている。
請求項３の発明は、請求項２記載の人体生化学試験システムの試験器において、ケースの別端内に針機構が取り付けられ、該針機構が使用者の手指を突き刺すのに供され、携帯と使用に便利な試験器とされたことを特徴とする、人体生化学試験システムの試験器としている。
請求項４の発明は、請求項２記載の人体生化学試験システムの試験器において、ケースにディスプレイが取り付けられ、試験器の検出結果を表示することを特徴とする、人体生化学試験システムの試験器としている。
請求項５の発明は、請求項３又は請求項４記載の人体生化学試験システムの試験器において、針機構がシートパイプ、抗圧バネ、結合手段、内スライドロッド、針座ロッド及びスライドスリーブで組成され、
該シートパイプは、ケース内に固定され、その中心にガイドロッドとガイロッドの外側に設けられた抗圧バネを具え、並びに該シートパイプの外壁面に二つの相互に対称な長孔がガイドロッドと平行に設けられ、また、該シートパイプの前方開口縁に環状に一辺が傾斜し一辺が垂直な鋸歯が設けられ、
該結合手段は、その中央に穿孔があり、シートパイプのガイドロッドが該穿孔を貫通し、該結合手段がシートパイプに対してスライド自在とされ、且つその一端に抗圧バネが係止され、もう一端が内スライドロッドに係止され、
該内スライドロッドは、その中央に溝が設けられてシートパイプのガイドロッドが挿入され、該内スライドロッドがガイドロッドに対してスライド自在とされ、並びにその前後両端にそれぞれコネクタが設けられてそれぞれ針座ロッド、結合手段と接合され、且つその外壁面に、両端が斜面とされた凸塊が設けられ、
該針座ロッドは、内スライドロッド前端のコネクタに嵌合され、使い捨て針を装着するのに供され、
該スライドスリーブは、以上の各部品の外部に嵌合され、その内部中間に内リングが置かれ、並びに内リングの後方の内壁面に二段式ガイドブロックが環状に設けられ、別にスライドスリーブ後端内壁面に二つの対応するフック部が設けられてシートパイプの長孔にスライド自在に係止されることを特徴とする、人体生化学試験システムの試験器としている。
請求項６の発明は、請求項５記載の人体生化学試験システムの試験器において、針機構が組み合わされる時、スライドスリーブ後端に別に弾性体が装着され、それとケースの収容室底部の間に当接し、これによりスライドスリーブが最前端の推力を維持することを特徴とする、人体生化学試験システムの試験器としている。
請求項７の発明は、請求項６記載の人体生化学試験システムの試験器において、針機構がケースに取り付けられた後にケース後蓋に閉じられ、別に可動式のキャップが設けられ、スライドスリーブとキャップの接続される接触面は傾斜面とされ、また、キャップの外壁面に軸線と平行な複数の凹溝が設けられ、ケース後蓋内孔に凸粒が設けられ、組合せ時には、該キャップの凹溝がケース後蓋の凸粒と係合し、キャップとケース後蓋の相対角度が回転させられることにより、その凸粒がキャップのもう一つの凹溝内に嵌まり、これによりスライドスリーブとキャップの接続された接触面の位置がずれて強制的にスライドスリーブが後退させられ、こうして使い捨て針のキャップからの伸出長さを微調整する機能が達成されることを特徴とする、人体生化学試験システムの試験器としている。
【発明の効果】
【００１０】
本発明によると、試験器に検体を具えた試片を挿入し、検体を通過する電圧値を測定後に、変換回路及びマイクロプロセッサで識別可能な信号に変換し、さらに信号を伝送インタフェースを介して遠方のシステム管理センターに送り、検出信号の代表する意義を暗号解除、識別と対比し、並びにデータを保存し、さらに演算結果を試験器に送り外接のディスプレイに試験器の試験結果を表示する。また上述のシステム管理センターでデータのファイル構築、保存、統計及び計算を行ない、使用者が随時ある期間或いはある回の検査報告を閲覧できるようにし、システム業者も通信時間或いは試験回数にかかる費用計算と料金回収が行なえるようにしている。
【発明を実施するための最良の形態】
【００１１】
図１及び図２に示されるように、本発明の人体生化学試験システム及びその試験器によると、試験器１０に検体を具えた試片２０が挿入され、検体を通過する電圧値を測定後に、試験器１０内に設けられた変換回路１４２及びマイクロプロセッサ１４３で識別可能な信号に変換し、さらに信号を伝送インタフェース１４４（ＵＳＢ或いはシリアルインタフェース）で遠方のシステム管理センター５０に送り、検出信号の代表する意義を暗号解除、識別と対比し、並びにデータを保存し、さらに演算結果を試験器１０に送り外接の通信設備６０のディスプレイに試験器の試験結果を表示するか、或いはデータを該通信設備６０のメモリ中にダウンロードし保存する。また、上述のシステム管理センター５０でデータのファイル構築、保存、統計及び計算を行ない、使用者が通信設備６０を介して随時ある期間或いはある回の検査報告を閲覧或いはダウンロードできるようにし、システム業者もシステム管理センター５０に接続された通信時間或いは試験回数により料金計算が行なえ、並びに通信システムと結合し料金徴収が行なえる。
【００１２】
上述の試験器１０（図２及び図３参照）は、少なくともケース１１に試片挿入口１２と信号（ＵＳＢ或いはシリアル）接続ポート１３を具え、ケース１１内に試験基板１４を具え、該試験基板１４は検出回路１４１、変換回路１４２、マイクロプロセッサ１４３、伝送（ＵＳＢ或いはシリアル）インタフェース１４４を具えている。該検出回路１４１は試片挿入口１２に対応する内部に設置されて挿入される試片２０と接続される。変換回路１４２は検出回路１４１より伝送された電圧信号を変換してマイクロプロセッサ１４３が解読できる信号となす。マイクロプロセッサ１４３は、変換回路１４２、伝送インタフェース１４４と接続され、変換回路１４２より送られた信号を受け取り伝送インタフェース１４４を介して信号を入出力する。伝送（ＵＳＢ或いはシリアル）インタフェース１４４は、信号接続ポート１３と接続され、この試験器１０を通信設備６０（パーソナルコンピュータ、ノートブック型コンピュータ、ＰＤＡ、携帯電話等）と接続可能とする。
【００１３】
上述の試験システムと試験器の構造は、試験器１０の構造が簡単であり、即ち周知の試験器の構造よりも少なくともディスプレイが少なく、マイクロプロセッサが識別、比較、記憶とディスプレイ駆動機能を具備しなくともよいため、試験器１０のコストが下げられる。また、現在、通信設備６０（パーソナルコンピュータ、ノートブック型コンピュータ、ＰＤＡ、携帯電話等）は十分普及しており、特に携帯電話は一人が一台の時代であり、通信システムを介して費用の徴収が行なえ、全世界で広く使用されている。
【００１４】
さらに図３から図５に示されるように、試験器１０の構造はケース１１に試片挿入口１２と信号接続ポート１３が設けられ、ケース１１内に試験基板１４が設けられ、該試験基板１４が血液（検体）の付着した試片２０が試片挿入口１２より挿入された後に、電流の通過によりその試験結果を演算し、さらに測定したデータを信号接続ポート１３より伝送するか、或いはそれに付設されたディスプレイ１５に表示する。
【００１５】
さらに図６から図９に示されるように、本発明の試験器１０はケース１１の別端内に針機構３０が設けられ、ケース後蓋１６で固定され、該針機構３０はシートパイプ３１、抗圧バネ３２、結合手段３３、内スライドロッド３４、針座ロッド３５及びスライドスリーブ３６で組成されている。
【００１６】
該シートパイプ３１は、ケース１１の収容室内に固定され、その中心にガイドロッド３１１を具え、ガイドロッド３１１の外側に抗圧バネ３２が設けられ、並びに該シートパイプ３１の外壁面に二つの相互に対称な長孔３１２がガイドロッド３１１と平行に設けられ、また、該シートパイプの前方開口縁に環状に一辺が傾斜し一辺が垂直な鋸歯３１３が設けられている。
【００１７】
該結合手段３３は、その中央に穿孔３３１があり、シートパイプ３１のガイドロッド３１１が該穿孔３３１を貫通し、シートパイプ３１に対してスライド自在とされ、且つその一端に抗圧バネ３２が係止され、もう一端が内スライドロッド３４に係止されている。
【００１８】
該内スライドロッド３４は、その中央に溝３４１が設けられてシートパイプ３１のガイドロッド３１１が挿入され、ガイドロッド３１１に対してスライド自在とされ、並びにその前後両端にそれぞれコネクタ３４２、３４３が設けられてそれぞれ針座ロッド３５、結合手段３３と接合され、且つその外壁面に、両端が斜面とされた凸塊３４４が設けられている。
【００１９】
該針座ロッド３５は、内スライドロッド３４前端のコネクタ３４２に嵌合され、使い捨て針４０を装着するのに供される。
【００２０】
該スライドスリーブ３６は、以上の各部品の外部に嵌合され、その前端がケース後蓋１６の中央の伸縮可能なキャップ１７と接続され（図１１）、該スライドスリーブ３６内部中間に内リング３６１が置かれ、並びに内リング３６１の後方の内壁面に二段式ガイドブロック３６２が環状に設けられ、別にスライドスリーブ３６後端内壁面に二つの対応するフック部３６３が設けられてシートパイプ３１の長孔３１２にスライド自在に係止される。
【００２１】
上述の針機構３０が組み合わされる時（図４、５参照）、スライドスリーブ３６後端に別に弾性体３７を装着可能で、それとケース１１の収容室底部の間に当接し、これによりスライドスリーブ３６が最前端の推力を維持する。このほか、針機構３０中の結合手段３３、内スライドロッド３４、針座ロッド３５は一体に結合され、シートパイプ３１とスライドスリーブ３６内にあってスライドスリーブ３６に対する施圧力と抗圧バネ３２の反発力により自由に伸縮運動する。さらに、図１０に示されるように、該針機構３０を伸縮操作する時、まず、使い捨て針４０を針座ロッド３５内に挿入すると同時に、結合され一体とされた内スライドロッド３４等を合わせて後ろに押し、内スライドロッド３４外側の凸塊３４４をシートパイプ３１前縁の鋸歯３１３と接触させ（図７）、右向きにある角度回転させてスライドスリーブ３６の二段式ガイドブロック３６２の階段面３６４に係止させる（即ち打針待機状態であり、図６の如し）。次に、使用者の指をケース後蓋１６後端に置きスライドスリーブ３６を押圧すると、内スライドロッド３４が凸塊３４４が二段式ガイドブロック３６２の階段面３６４の押圧を受け、さらにシートパイプ３１前縁の鋸歯３１３と接触する。さらに右向きにある角度回転させて急速に二段式ガイドブロック３６２の滑り溝３６５に嵌め込ませると（図８）、使い捨て針４０が明らかに露出し、発針し指を突き刺す機能が達成される。
【００２２】
図１１から図１３を参照されたいが、本発明中のスライドスリーブ３６とキャップ１７の接続される接触面は傾斜面とされ、また、キャップ１７の外壁面に軸線と平行な複数の凹溝１７２が設けられ、ケース後蓋１６内孔に凸粒１６１が設けられ、組合せ時には、該キャップ１７の凹溝１７２がケース後蓋１６の凸粒１６１と係合し、キャップ１７とケース後蓋１６の相対角度が回転させられることにより、その凸粒１６１がキャップ１７のもう一つの凹溝１７２内に嵌まり、これによりスライドスリーブ３６とキャップ１７の接続された接触面の位置がずれて強制的にスライドスリーブ３６が後退させられ、こうして使い捨て針４０のキャップ１７からの伸出長さを微調整する機能が達成される。
【００２３】
総合すると、本発明の人体生化学試験システム及びその試験器は、確実に産業上の利用価値を具え、その実用機能が増されている。ゆえに本発明は特許の要件を具備している。なお、本発明に基づきなしうる細部の修飾或いは改変は、いずれも本発明の請求範囲に属するものとする。
【図面の簡単な説明】
【００２４】
【図１】本発明のシステム簡易表示図である。
【図２】本発明の試験器回路ブロック図である。
【図３】本発明の試験器実施立体図である。
【図４】本発明の平面図である。
【図５】本発明の正面図である。
【図６】本発明の針機構の組合せ断面動作図である。
【図７】本発明の針機構の組合せ断面動作図である。
【図８】本発明の針機構の組合せ断面動作図である。
【図９】本発明の針機構のケース内への組み付け表示図である。
【図１０】本発明の針機構の部分分解図である。
【図１１】本発明の針機構の制御構造動作図である。
【図１２】本発明のケース後蓋とキャップの左側視組合せ図である。
【図１３】本発明のキャップの正面図である。
【符号の説明】
【００２５】
１０  試験器            ２０  試片
３０  針機構            ４０  使い捨て針
５０  システム管理センター          ６０  通信設備
１１  ケース                        １２  試片挿入口
１３  信号接続ポート                １４  試験基板
１５  ディスプレイ                  １６  ケース後蓋
１４１  検出回路                    １４２  変換回路
１４３  マイクロプロセッサ          １４４  伝送インタフェース
３１  シートパイプ                  ３２  抗圧バネ
３３  結合手段                      ３４  内スライドロッド
３５  針座ロッド                    ３６  スライドスリーブ
３１１  ガイドロッド                ３１２  長孔
３１３  鋸歯                        ３３１  穿孔
３４１  溝                          ３４２、３４３  コネクタ
３４４  凸塊                        ３６１  内リング
３６２  二段式ガイドブロック        ３６３  フック部
３６４  階段面                      ３６５  滑り溝
【図１】
2005122551.tif 000003
【図２】
2005122551.tif 000004
【図３】
2005122551.tif 000005
【図４】
2005122551.tif 000006
【図５】
2005122551.tif 000007
【図６】
2005122551.tif 000008
【図７】
2005122551.tif 000009
【図８】
2005122551.tif 000010
【図９】
2005122551.tif 000011
【図１０】
2005122551.tif 000012
【図１１】
2005122551.tif 000013
【図１２】
2005122551.tif 000014
【図１３】
2005122551.tif 000015